(57)【要約】【課題】操作パネルと内箱とにはさまれることによる導線の断線を抑制する。【解決手段】パネルと、回路を有するベース部を有する基板と、導線と、を備える操作パネルと、操作パネルを取付けた内箱を有する冷蔵庫であって、導線を収納する配線収納部を有し、配線収納部は、パネルを内箱に取付けると、パネル及び内箱の一部によって少なくともパネル側が閉塞され、導線のうち、配線収納部に収納されている部分を含む範囲には、導線の径を増加させる増径部が取り付けられている。【選択図】図１０
2019052796.tif 000002
【特許請求の範囲】
【請求項１】
パネルと、
回路を有するベース部を有する基板と、
導線と、を備える操作パネルと、
該操作パネルを取付けた内箱を有する冷蔵庫であって、
前記導線を収納する配線収納部を有し、
該配線収納部は、前記パネルを前記内箱に取付けると、前記パネル及び前記内箱の一部によって少なくとも前記パネル側が閉塞され、
前記導線のうち、前記配線収納部に収納されている部分を含む範囲には、前記導線の径を増加させる増径部が取り付けられていることを特徴とする冷蔵庫。
【請求項２】
前記導線の一端に接続する端子を有し、
前記増径部は、前記端子から所定長さ以上離間して設けられていることを特徴とする請求項１に記載の冷蔵庫。
【発明の詳細な説明】
【技術分野】
【０００１】
本発明は、冷蔵庫に関する。
【背景技術】
【０００２】
特許文献１には、対向する２辺のうち一方に固定子８，９を、他方に弾性爪７を配した構造を開示している（図１）。
特許文献２には、電線１の一端末を含めて電線長手方向中間部までの範囲で、電線１の屈曲予定部分において、芯線３を露出させた状態で、電線１の絶縁被覆２の外側に合成樹脂製の可撓性の収縮チューブ（チューブ）４を被着させて剛性を上げた構造が開示されている（００２３、図２）。
【先行技術文献】
【特許文献】
【０００３】
【特許文献１】特開２０１０−２５１６４４号公報
【特許文献２】特開２００９−０２１１６７号公報
【発明の概要】
【発明が解決しようとする課題】
【０００４】
特許文献１は、基板を固定する構造を上記のように開示するが、基板の向きを正常に取り付けるための構造や弾性爪を組立者が容易に動かすための構造などを開示していない。
【０００５】
特許文献２は、端子５近くにおける屈曲によって生じ得る断線に対応する構成であり、その他の原因による断線の虞を考慮したものではない。
【課題を解決するための手段】
【０００６】
上記事情に鑑みてなされた本発明は、パネルと、回路を有するベース部を有する基板と、導線と、を備える操作パネルと、該操作パネルを取付けた内箱を有する冷蔵庫であって、前記導線を収納する配線収納部を有し、該配線収納部は、前記パネルを前記内箱に取付けると、前記パネル及び前記内箱の一部によって少なくとも前記パネル側が閉塞され、前記導線のうち、前記配線収納部に収納されている部分を含む範囲には、前記導線の径を増加させる増径部が取り付けられていることを特徴とする。
【図面の簡単な説明】
【０００７】
【図１】実施形態に係る冷蔵庫の外観斜視図
【図２】実施形態に係る冷蔵室の内部を示す正面図
【図３】図２のＡ−Ａ線断面図
【図４】実施形態に係るパネルの正面図
【図５】実施形態に係る基板の正面図
【図６】実施形態に係るパネルに基板を取付ける際の途中の工程を示す、パネル及び基板の斜視図
【図７】（ａ）はパネルに基板を取付ける際の途中の工程を示す、パネル及び基板の側面図、（ｂ）はパネルと基板とを取付けた取付状態の側面図
【図８】図７（ａ）と図７（ｂ）との間の状態であり基板が可動爪に接触した状態
【図９】（ａ）は複数の基板（ここでは６つ）を含む生板の正面図（ｂ）は（ａ）のうちルータ加工される領域である連続部を楕円で囲ったもの
【図１０】（ａ）は基板及び基板の端子に接続した導線を示す正面図、（ｂ）は操作パネルの正面図
【図１１】冷蔵庫の内箱に取付けた状態の操作パネルの正面図
【図１２】操作パネルを内箱に垂直な断面で切断した場合の断面図
【発明を実施するための形態】
【０００８】
以下、本発明の実施形態に係る冷蔵庫について添付の図面を参照しつつ説明する。以下の説明では、図１に示す「上下」、「左右」、「前後」方向を基準として説明する。各実施形態において、同様の構成には同様の符号を付し、同様の説明は繰り返さない。
【０００９】
（冷蔵庫１）
図１は実施形態に係る冷蔵庫１の外観斜視図、図２は冷蔵室２の内部を示す正面図、図３は図２のＡ−Ａ線断面図である。
【００１０】
冷蔵庫１は、例えば、上側から、冷蔵室２、製氷室３、上段冷凍室４、下段冷凍室５および野菜室６を配置することで構成されている。なお、製氷室３と上段冷凍室４は、左右に並べて設けられている。冷蔵室２は、左右に分割された観音開き式の冷蔵室扉２ａ，２ｂを備えている。
【００１１】
冷蔵庫１は、発泡断熱材を内部に充填することで構成された断熱箱体１０により庫外と庫内とが隔てられている。断熱箱体１０は、外郭を成す外箱１１と、冷蔵室２、製氷室３、上段冷凍室４、下段冷凍室５、野菜室６の食品などを貯蔵する各貯蔵室を構成する内箱１２とを有している。断熱箱体１０は、発泡断熱材の他に真空断熱材５０を備えており、本実施形態では冷蔵室２の外箱１１と内箱１２との間の空間において、外箱１１側に真空断熱材５０を配置し、内箱１２側に操作パネル２０（ユニット部材）を配している。操作パネル２０は、パネル２１０及び基板２２０を有し、内箱１２に設けられた埋込凹部２３０に配されている。
【００１２】
（操作パネル２０）
＜パネル２１０＞
図４は実施形態に係るパネル２１０の正面図である。パネル２１０は、平面部２１１、基板２２０の第２係止部２２２（本実施形態では凹部）に係止可能な第１係止部２１２（本実施形態では凸部）、固定爪２１３、可動爪２１４、小ピン２１５、大ピン２１６、及び光源囲繞部２１７を有する。
平面部２１１は、平らな面形状であり、１つ又は複数の光源囲繞部２１７が配されている。本明細書では、平面部２１１に平行な方向を水平方向を呼称する。
第１係止部２１２は、平面部２１１の一部に形成されており、基板２２０に対するパネル２１０の位置決めを補助する構成である。第１係止部２１２は、平面部２１１に略直交する方向に凸した形状であり、例えばリブを採用できる。本実施形態では、パネル２１０の端面を含む範囲に形成されている。
固定爪２１３は、パネル２１０の端面に形成されており、基板２２０がパネル２１０から脱落することを抑制する部材である。固定爪２１３は、平面部２１１の端面から平面部２１１に略直交する方向に延在する部分と、その部分から平面部２１１に正面視で重なる方向に向かって延在する部分とを有する。すなわち、固定爪２１３は略Ｌ字状である。Ｌ字の一端が平面部２１１に固定されており、他端がパネル２１０の正面視で平面部２１１に重なる。固定爪２１３は、可動爪２１４に比して撓みにくい。すなわち、固定爪２１３の一端は、可動爪２１４に比して揺動しにくい。
固定爪２１３は、好ましくは本実施形態のように第１係止部２１２と同じ端面（本実施形態では、特に「辺」）に設けられている。また、第１係止部２１２の先端の位置は、固定爪２１３の先端位置よりも平面部２１１の中央側に位置している。すなわち、第１係止部２１２の水平方向の突出量は、固定爪２１３の水平方向の突出量よりも大きい。
【００１３】
可動爪２１４は、パネル２１０の端面に形成されており、基板２２０がパネル２１０から脱落することを抑制する部材であり、固定爪２１３と同様に略Ｌ字状にすることができる。可動爪２１４は、平面部２１１に固定されている一端が少なくとも固定爪２１３よりも撓みやすく、例えば組立者の指で、平面部２１１から離れる方向に揺動させることができる。可動爪２１４は、固定爪２１３とは異なる端面（辺）に設けられており、好ましくは本実施形態のように固定爪２１３に対向する端面（辺）に設けられている。
【００１４】
小ピン２１５は、平面部２１１から略直交する方向に延在する長細の形状であり、平面部２１１に設けられている。小ピン２１５は、基板２２０に対するパネル２１０の位置決めを補助する構成であり、好ましくは、平面部２１１の中央を介して第１係止部２１２と反対側に位置している。
【００１５】
光源囲繞部２１７は、基板２２０に配された光源の光軸を囲む構成であり、平面部２１１に略直交する方向に延在している。小ピン２１５と光源囲繞部２１７とは、同じ方向に凸している。
【００１６】
＜基板２２０＞
図５は実施形態に係る基板２２０の正面図である。基板２２０は、ベース部２２１、第２係止部２２２、及び小孔２２５を有する。
ベース部２２１は、基板の回路構造を印刷した面を有する。本実施形態では一方の面にのみ印刷を施しており、図５ではその面とは反対側の面を示している。印刷が施された面は、パネル２１０の平面部２１１に対向することになる。
【００１７】
第２係止部２２２は、ベース部２２１内側に向けて凹んだ形状であり、第１係止部２１２が入り込むことでパネル２１０及び基板２２０の相対移動を抑制する。第２係止部２２２は、ベース部２２１の端面（辺）を含む範囲に形成されており、固定爪２１３が押える基板２２０の端面（辺）と同じ側の端面に設けられている。これにより、対となる第１係止部２１２に係止する際、基板２２０を滑らせて第２係止部２２２に第１係止部２１２を差すことができる。
小孔２２５は、小ピン２１５が挿入される構成であり、これらによってパネル２１０及び基板２２０の相対移動が抑制される。
【００１８】
＜パネル２１０と基板２２０との取付＞
図６は実施形態に係るパネル２１０に基板２２０を取付ける際の途中の工程を示す、パネル２１０及び基板２２０の斜視図であり、図７（ａ）はパネル２１０に基板２２０を取付ける際の途中の工程を示す、パネル２１０及び基板２２０の側面図であり、図７（ｂ）はパネル２１０と基板２２０とを取付けた取付状態の側面図であり、図８は図７（ａ）と図７（ｂ）との間の状態であり基板２２０が可動爪２１４に接触した状態である。
パネル２１０に基板２２０を取付けようとする組立者は、まず、固定爪２１３に基板２２０の端面を当接させる。この状態が図６や図７（ａ）に例示されている。基板２２０は平面部２１１に対して、固定爪２１３に当接している端面（これを固定爪側の辺と呼ぶ。）が近く、固定爪側の辺に対向する端面（これを可動爪側の辺と呼ぶ。）が遠くなるように傾いた状態にある。
【００１９】
次に、組立者は基板２２０の可動爪側の辺を平面部２１１に近づけていき、可動爪２１４の斜面２１４２に基板２２０の可動爪側の辺を載置することができる。この状態が図８に例示されている。その後、可動爪２１４の頂点２１４１に組立者が指で力を加えて、可動爪２１４を固定爪２１３から遠ざける方向に揺動させる。基板２２０をさらに平面部２１１に近づけると、平面部２１１に正対する状態にできる。そして、指で加えている力を解除して可動爪２１４を元の位置に復帰させると、可動爪２１４が基板２２０を介して平面部２１１の反対側に位置することになる。これにより、固定爪２１３及び可動爪２１４によって基板２２０を固定することができる。この状態が図７（ｂ）に例示されている。
【００２０】
可動爪２１４の頂点２１４１は、取付状態において基板２２０よりも平面部２２１から離れた位置にあり、かつ、パネル２１０のうち少なくとも可動爪２１４近傍の領域で最も高い位置にある。これにより、組立者は可動爪２１４を指で押えたり揺動させることを比較的容易に行えるから、組立性を好適にすることができる。頂点２１４１は、図８に例示されているように基板２２０を斜面２１４２に沿って上側にずらしたとしても、基板２２０の上面より上方に位置する程度の高さに設けられていることが好ましい。
【００２１】
このように、パネル２１０と基板２２０とを取付ける場合、まず固定爪２１３に基板２２０を当接させ、その後可動爪２１４で押えるようにすることが考えられる。このような組立を行うに際して、以下に記載する本実施形態の構成の一部に依れば、例えば次のような効果が得られる。なお、第１係止部を凹部にして第２係止部を凸部にしても良い。
【００２２】
＜基板２２０の生板２２＞
図９（ａ）は複数の基板２２０（ここでは６つ）を含む生板２２の正面図であり、図９（ｂ）は図９（ａ）のうちルータ加工される領域である連続部２２４を楕円で囲ったものである。生板２２は型加工などで作成されるものであり複数の基板２２０が含まれている。基板２２０同士の境目は、一部が生板２２の中で繋げられた連続部２２４であり、残部が型の時点で離間している欠け部２２３である。型の時点で形成されている、欠け部２２３近傍の端面（辺）は、比較的粗い。一方、連続部２２４は例えばルータによって生板２２部分が除去されるが、この加工跡は欠け部２２３に比して滑らかになる。本実施形態では、連続部２２４が形成されていた部分に可動爪２１４が接触するように連続部２２４の位置を調節しているため、生板２２から基板２２０を分離する工程によって、同時に可動爪２１４に接触する部分を滑らかに加工することができる。
【００２３】
可動爪２１４の斜面２１４２の下端２１４２１（例えば図８参照）は、基板２２０の端面に接触し得る。このとき、基板２２０の端面には可動爪２１４自らの弾性による復元力により基板２２０を押す力が加えられるため、基板２２０の端面が粗いと応力が集中して基板２２０が破損する虞がある。このため、端面を滑らかにすることが好ましいが、そのような加工工程を単に加えると作成時間やコストの観点から好ましくない。
そのため本実施形態では、可動爪２１４が接する基板２２０の端面の部分が、基板２２０を生板２２から分離する際に用いられるルータ加工の加工跡に含まれるようにすることで、加工工程を別に用意する必要性を低減又はなくしている。
【００２４】
＜基板２２０への配線２２８の収納＞
図１０（ａ）は、基板２２０及び基板２２０の端子２２６に接続した導線２２８を示す正面図、図１０（ｂ）は操作パネル２０の正面図、図１１は冷蔵庫１の内箱１２に取付けた状態の操作パネル２０の正面図、図１２は操作パネル２０を内箱１２に垂直な断面で切断した場合の断面図である。但し、図１２では導線２２８は図示していない。
基板２２０には、基板２２０に設けられた端子２２６に接続する導線２２８から電源や命令が伝達される。導線２２８の一部は、操作パネル２０に設けられた基板２２０の収納スペース近傍に好ましくは連なって設けられた空間である配線収納部２０１に収納されることができる（例えば図１０（ｂ）参照）。導線２２８の残部は、配線収納部２０１に設けられた孔から配線収納部２０１外に配されることができる。
すなわち本実施形態では、基板２２０が収納されるスペース（基板２２０の形状に略同一に形成された空間）に連通したポケット状の空間が配線収納部２０１であると考えることができる。パネル２１０を内箱１２に取付けると、配線収納部２０１のパネル２１０側は閉塞される。
【００２５】
本実施形態の配線収納部２０１は、操作パネル２０が内箱１２の埋込凹部２３０に取付けられると、内箱１２の一部によって覆われ、使用者から観察できなくなる空間である。このため、パネル２１０を操作パネル２０の一部として取付けると、導線２２８のように径が小さいものは、内箱１２とパネル２１０との間に挟み込まれてしまう虞がある。このとき、導線２２８の径が小さいことから組立者が挟みこみに気が付かずに作業を完了してしまう虞もあるし、挟み込みによって導線２２８が断線する虞や、パネル２１０の取付が正常に行われないといった、不良の原因になり得る。
【００２６】
このため、導線２２８のうち配線収納部２０１に収納される部分の一部又は全部を少なくとも含んで、導線２２８に増径部２２８１が取り付けられている。増径部２２８１としては、例えば粘着性のある又はないテープを採用できる。増径部２２８１は、導線２２８の径を増加させるため、内箱１２とパネル２１０との間に挟み込まれた場合、その影響が大きく、組立者が気付くことが容易になるし、挟み込まれたとしても導線２２８が断線することを抑制できる。
【００２７】
増径部２２８１を設ける範囲は、端子２２６から所定距離、例えば２，３，４，又は５ｃｍ以上離れた領域であることが好ましい。このようにすることで、端子２２６近くでは導線２２８の可撓性を維持して導線２２８を自由に曲げやすくしておき、挟み込みが生じやすい領域には増径部２２８１を設けることができる。
【００２８】
＜その他の効果など＞
本実施形態の構成及び効果の一部について、適宜繰り返して説明する。
（固定爪２１３と第１係止部２１２とが同じ端面に設けられている）
第１に、固定爪２１３が設けられた端面（辺）と同じ端面に第１係止部（凸部）２１２が設けられていることにより、組立者が基板２２０の向きを誤って取り付けようとした場合に、向きが誤っていることを即座に気付くことができる。向きが正常であれば、第１係止部２１２に第２係止部（凹部）２２２が係止するため、固定爪２１３に基板２２０を当接させることができるが、向きが誤っていれば当接させることができない又は困難である。
仮に第１係止部２１２が固定爪２１３と異なる端面に設けられている場合、基板２２０の向きが誤っていても基板２２０を固定爪２１３に当接させた段階では組立者が気付くことは困難である。すなわち、組立者が誤りに気付くことが遅延する。
【００２９】
（固定爪２１３から第１係止部２１２までの間に光源囲繞部２１７を設けていない）
組立者は、固定爪２１３に基板２２０を当接させた後、基板２２０が平面部２１１に正対するように基板２２０を傾かせることになる（図７（ａ）及び（ｂ）等参照）。本実施形態では、第１係止部２１２が固定爪２１３と同じ端面に設けられているため、組立者は基板２２０を当接させた初期状態で向きが誤っていた場合に気付くことができる。
【００３０】
仮に、第１係止部２１２が固定爪２１３と同じ端面ではない領域に設けられていた場合を検討する。この場合、基板２２０が正対状態に近付いていく（平面部２１１と基板２２０との成す角度が小さくなっていく）と、基板２２０の向きが誤っていたとき、基板２２０に配された、特に高さ方向に出っ張った部品などが光源囲繞部２１７に接触して破損する虞がある。組立者は、平面部２１１と基板２２０との成す角度を小さくしていく段階で、第１係止部２１２と第２係止部２２２とが重なるか、すなわち両者の位置が合っているか否かを確認すれば、基板２２０の向きが合っているか否かを気付ける。この「気づく」タイミングは、第１係止部２１２と第２係止部２２２とが十分に高さ方向で近付いたときであるが、基板２２０は、固定爪２１３に近い領域から順次パネル２１０に近づいていくのだから、基板２２０のうち固定爪２１３から第１係止部２１２までの領域がパネル２１０に近づいた後で、組立者が基板２２０の向きの正誤に初めて気付くことができる。
【００３１】
すると、固定爪２１３から第１係止部２１２までの領域に、光源囲繞部２１７のように出っ張った構成が存在すると、基板２２０の向きを誤って取り付けようとした場合に、基板２２０の構成が光源囲繞部２１７に接触して破損する虞がある。
【００３２】
本実施形態では、固定爪２１３と第１係止部２１２とを同じ端面に設けているため、固定爪２１３から第１係止部２１２までの領域は存在しない。すなわち、固定爪２１３から第１係止部２１２までの領域に光源囲繞部２１７が存在しないため、基板２２０の構成が光源囲繞部２１７に接触して破損する虞を低減できる。
【００３３】
（ピン２１５により誤組を報知）
組立者の注意力が低下している場合、第１係止部２１２のみによっては基板２２０の向きを誤っていることに気付けない虞がある。この場合、ピン２１５が基板２２０に接触することでパネル２１０に正対させることができないため、向きを誤っていることを確実に報知することができる。ピン２１５の寸法の下限を、基板２２０がピン２１５に接触した際に基板２２０に設けられた構成がパネル２１０に接触しない長さにすることが好ましい。
【符号の説明】
【００３４】
１  冷蔵庫
１０    断熱箱体
１１    外箱
１２    内箱
１２ａ  側面壁（側面）
２０    操作パネル（ユニット部材）
２０１  配線収納部
２２    生板
２１０  パネル
２１１  平面部
２１２  第１係止部（凸部）
２１３  固定爪
２１４  可動爪
２１４１  爪頂点
２１５  小ピン
２１７  光源囲繞部
２２０  基板
２２１  ベース部
２２２  第２係止部
２２３  欠け部
２２４  連続部
２２５  小孔
２２６  端子
２２７  光源
２２８  導線
２２８１  増径部
５０    真空断熱材
【図１】
2019052796.tif 000003
【図２】
2019052796.tif 000004
【図３】
2019052796.tif 000005
【図４】
2019052796.tif 000006
【図５】
2019052796.tif 000007
【図６】
2019052796.tif 000008
【図７】
2019052796.tif 000009
【図８】
2019052796.tif 000010
【図９】
2019052796.tif 000011
【図１０】
2019052796.tif 000012
【図１１】
2019052796.tif 000013
【図１２】
2019052796.tif 000014